(57)【要約】【課題】靴内への脱着が可能な中敷の欠点を解消する。【解決手段】表面を足底の解剖学的構造に成形した中敷と中底を接合し、甲皮の裏材と袋状に縫製した袋状部品を射出成型器のラストモルドに吊り込み、常用により射出成形して甲皮、中敷、中底及び靴本底を一体に射出成形する。【選択図】なし【特許請求の範囲】
【請求項１】
予め、中敷の表面を足底の解剖学的構造に成形する工程と、足底の解剖学的構造に成形した中敷と中底とを接合して中敷−中底接合部品を製造する工程と、中敷−中底接合部品と甲皮の裏材を袋状に縫製して、中敷−中底接合部品−甲皮の裏材から成る袋状部品を製造する工程と、中敷−中底接合部品−甲皮の裏材から成る袋状部品を射出成型器のラストモルドに吊り込み、常用により射出成形する工程とを含む甲皮−中敷−中底−靴本底が一体に射出成形された靴を製造する方法。
【請求項２】
解剖学的構造を、距骨、舟状骨、内側楔状骨を越えて第１中足骨に伸長する内側アーチと、踵骨結節から立方骨を通り第５中足骨に伸長する外側アーチと、５個の中足骨と３個の楔状骨によって構成される横アーチと、第１中足骨から第５中足骨にかけて伸長する前アーチから成るアーチと、踵部周囲を保護する３次元立体構造とする請求項１の方法。
【請求項３】
予め、中敷の表面を足底の解剖学的構造に成形する工程と、足底の解剖学的構造に成形した中敷と、中底とを接合して中敷−中底接合部品を製造する工程と、中敷−中底接合部品と甲皮の裏材を袋状に縫製して、中敷−中底接合部品−甲皮の裏材から成る袋状部品を製造する工程と、中敷−中底接合部品−甲皮の裏材から成る袋状部品を射出成型器のラストモルドに吊り込み、常用により射出成形する工程を含む甲皮−中敷−中底−靴本底を一体に射出成形して製造する方法によって製造された靴。
【請求項４】
解剖学的構造を、距骨、舟状骨、内側楔状骨を越えて第１中足骨に伸長する内側アーチと、踵骨結節から立方骨を通り第５中足骨に伸長する外側アーチと、５個の中足骨と３個の楔状骨によって構成される横アーチと、第１中足骨から第５中足骨にかけて伸長する前アーチから成るアーチと、踵部周囲を保護する３次元立体構造としたことを特徴とする請求項３の靴。
【発明の詳細な説明】
【技術分野】
【０００１】  本発明は中敷一体型靴を製造する方法及び中敷一体型靴に関する。より詳細に述べると、本発明は、甲皮、中敷、中底及び靴本底を一体に射出成形して製造する方法及びその方法により製造された靴に関する。
【背景技術】
【０００２】  従来から、靴の中底と足裏の間に挿入する中敷が使用されている。中敷本来の機能は、硬かったり凹凸のある中底の表面へ載置し、足当りや履き心地を良くし、歩行時の衝撃を緩和することである。近年では、さらに各種の副次的機能を付加させるため複雑な構造にしたり、革、合成樹脂、不織布、その他繊維或いはこれらの組合せ等多様な素材を使用する傾向にある。【０００３】  たとえば、特許文献１は、足底輪郭状をなし所要の間隔で多数の通孔を配した本体と、所要の高さを有し、通孔の所望のものに着脱可能に取付けられる複数個のツボ押し用突子を備えた履物用中敷を記載している。【０００４】  特許文献２は、中敷における足があたる側の面の土踏まず部分及び指の付根部分に突出部を形成し、突出部に空気の流通路を設けたものを記載している。【０００５】  特許文献３は、中敷本体の上面において踵部を横切る線上箇所、土踏まず部を横切る線上箇所および踵部と土踏まず部との中間位置を横切る線上箇所に両端が中敷本体の内・外両側縁に達する若しくは近接する長さの蒲鉾状突出部を設けた履物用中敷を記載している。【０００６】  その他に、特許文献４〜１０も、それぞれ特有の構造をして中敷を記載している。
【特許文献１】  実用新案登録第３０１０９４４号公報
【特許文献２】  実開平５−４９０４号公報
【特許文献３】  実用新案登録第３０１９２４９号公報
【特許文献４】  実用新案登録第２５６９０１２号公報
【特許文献５】  特開２０００−３１６６０７号公報
【特許文献６】  特許第３３８１１４８号公報
【特許文献７】  特開２００４−２９０６４２号公報
【特許文献８】  特開２００５−２９５２０４号公報
【特許文献９】  実用新案登録第３１１３０３０号公報
【特許文献１０】  特開２００７−１３６１４５号公報
【発明の開示】
【発明が解決しようとする課題】
【０００７】  上記特許文献が記載する中敷は、いずれも、いわゆる「カップインソール」と呼称されている靴内への脱着が可能なタイプである。このタイプの中敷を靴内に挿入するには、幾つか注意しなければならない点がある。即ち、中底のボールジョイント、内側及び外側アーチの形状に完全に一致するように挿入しなければならない。少しでもずれていると、歩行し難くなるだけではなく、逆に障害の原因となる。【０００８】  さらに、靴内への脱着が可能なカップインソールタイプの中敷は、たとえ、完全に挿入しても、中敷自体の経時変形や、激しい運動等により、靴内でズレることがある。その度に新規な中敷を購入する必要があり、割高になる。【０００９】  また、中敷には、接着剤で中底に固定するタイプもある。特に、カジュアルシューズ、パンプス、ドレスシーズ、安価な運動靴等の殆どは、この接着タイプの中敷を使用している。このタイプの中敷の欠点は、長時間使用している間に、発汗、汚染等で剥がれることがあることである。中敷は、たとえ、１ｍｍ以下でも剥がれて、めくれると、足裏に違和感を与え、歩行し難くなるだけではなく、逆に障害の原因となる。【００１０】  従って、発明が解決しようとする課題は、靴内への着脱が可能なタイプの中敷の上述したような欠点が無い中敷を提供することである。【００１１】  発明が解決しようとする別の課題は、靴を製造した後で、靴内へ挿入する手間が必要なく、一工程を省略できる靴を提供することである。【００１２】  発明が解決しようとするさらに別の課題は、所望により靴の甲裏材料を中敷に兼用することができ、材料のコスト低減に資することができる中敷を提供することである。【００１３】  本発明は上記課題に鑑みてなされたもので、甲皮、中敷、中底及び靴本底を一体に射出成形して製造する方法及びその方法により製造された靴を提供することを目的としている。
【課題を解決するための手段】
【００１４】  本発明によると上記課題は、次のようにして解決される。
１．予め、中敷の表面を足底の解剖学的構造に成形する工程と、足底の解剖学的構造に成形した中敷と中底とを接合して中敷−中底接合部品を製造する工程と、中敷−中底接合部品と甲皮の裏材を袋状に縫製して、中敷−中底接合部品−甲皮の裏材から成る袋状部品を製造する工程と、中敷−中底接合部品−甲皮の裏材から成る袋状部品を射出成型器のラストモルドに吊り込み、常用により射出成形する工程を含む甲皮、中敷、中底及び靴本底を一体に射出成形して製造する方法。【００１５】２．上記１項において、解剖学的構造を、距骨、舟状骨、内側楔状骨を越えて第１中足骨に伸長する内側アーチと、踵骨結節から立方骨を通り第５中足骨に伸長する外側アーチと、５個の中足骨と３個の楔状骨によって構成される横アーチと、第１中足骨から第５中足骨にかけて伸長する前アーチから成るアーチと、踵部周囲を保護する３次元立体構造とする。【００１６】３．予め、中敷の表面を足底の解剖学的構造に成形する工程と、足底の解剖学的構造に成形した中敷と、中底とを接合して中敷−中底接合部品を製造する工程と、中敷−中底接合部品と甲皮の裏材を袋状に縫製して、中敷−中底接合部品−甲皮の裏材から成る袋状部品を製造する工程と、中敷−中底接合部品−甲皮の裏材から成る袋状部品を射出成型器のラストモルドに吊り込み、常用により射出成形する工程を含む甲皮、中敷、中底及び靴本底を一体に射出成形して製造する方法によって製造された靴。【００１７】４．上記３項において、解剖学的構造を、距骨、舟状骨、内側楔状骨を越えて第１中足骨に伸長する内側アーチと、踵骨結節から立方骨を通り第５中足骨に伸長する外側アーチと、５個の中足骨と３個の楔状骨によって構成される横アーチと、第１中足骨から第５中足骨にかけて伸長する前アーチから成るアーチと、踵部周囲を保護する３次元立体構造とする。
【発明の効果】
【００１８】  請求項１及び３に記載の発明によれば、甲皮、中敷、中底及び靴本底を一体成形した靴を製造することができるので、下記に例示する効果を奏功することができる。
（１）従来のように、甲皮、中底及び靴本底から構成された靴を製造した後で、中敷を挿入するという煩雑で手間を必要とする工程を削減することができる。【００１９】（２）従来のように、中底に脱着可能な状態で単に載置した中敷と異なり、甲皮、中敷、中底及び靴本底の４つの部材が強固に一体化されているので、中敷自体の経時変形や、歩行時、或いは激しい運動等により、靴内でズレることがない。【００２０】（３）中敷と中底が一体化しているので、従来のような靴内への脱着可能な置き敷きタイプの中敷のように、経時変形や、歩行時、或いは激しい運動等により、靴内でズレたり、周辺部がめくれて中敷と中底の間に異物等が入って歩行障害を起こすことがない。【００２１】（４）甲裏材料を中敷に兼用することができるので、材料の無駄を省き全体のコスト削減に資する。【００２２】  請求項２及び４に記載の発明によれば、中敷の解剖学的構造を、距骨、舟状骨、内側楔状骨を越えて第１中足骨に伸長する内側アーチと、踵骨結節から立方骨を通り第５中足骨に伸長する外側アーチと、５個の中足骨と３個の楔状骨によって構成される横アーチと、第１中足骨から第５中足骨にかけて伸長する前アーチから成るアーチと、踵部周囲を保護する３次元立体構造とするので、下記に例示する効果を奏功する。【００２３】（１）中敷本来の機能の他に、長時間履いていても、母趾の付け根の出っ張りと、小趾の付け根の出っ張り、中足骨骨頭部が、さらに、距骨と踵骨と舟状骨の関節部位、即ち、距骨下三関節が痛むのを軽減し、合わせて、アーチ状の土踏まず部分が低下するのを防止する。【００２４】（２）中足骨骨頭に対応する個所を幾分高く盛り上げて中足骨骨頭バーを形成した構造にし、それらの個所に負荷される衝撃を緩和し、土踏まず部分に内側アーチ状の立ち上げ部分を形成して足の回内位を防止し、土踏まず部分の対向箇所に外側アーチ状の立ち上げ部分を形成して足の外内位を防止する。
【発明を実施するための最良の形態】
【００２５】  本発明で使用する中敷の材料は特段に限定されないが、発泡ポリウレタン、エチレンー酢酸ビニル共重合体（ＥＶＡ）、植物繊維プレート、不織布等叉はこれらの複合材を使用することができる。【００２６】  本発明で使用する中敷の本体と内側及び外側アーチ状の立ち上げ部分は、同一材料で同一硬度に製造する。中敷本体の材料は、ＪＩＳ−Ａ型硬度計で測定して２０〜４０度の範囲の硬度に製造できれば、特段に限定されない。すなわち、ポリウレタン、ＥＶＡ、ゴム等任意の材料から選択される。【００２７】  中敷の硬度が２０度以下の場合は、柔軟性は高くなるが、アーチ状の立ち上げ部分の形状保持性が低くなり、立ち上げ部分本来の機能である足の回内位及び回外位を防止する機能、及び土踏まずの低下を防止する機能が低下する。逆に、中敷の硬度が４０度以上の場合は、アーチ状の立ち上げ部分の形状保持性は大きくなり立ち上げ部分本来の機能である足の回内位及び回外位を防止する機能、及び土踏まず部分が低下するのを防止する機能は高くなるが、中敷の重要な機能であるクッション効果が低下するので歩行時の衝撃吸収力が低下する。【００２８】  本発明において、中敷の裏面において、土踏まず部分を投影した形状の所定の深さの凹陥部を穿設し、凹陥部に凹陥部と同一形状で中敷より低硬度のクッション材を嵌入した構造にしてもよい。【００２９】  中敷の裏面の凹陥部に嵌め込むクッション材の材料は、ＪＩＳ−Ａ型硬度計で測定して５〜１５度の範囲の硬度に製造できれば、特段に限定されない。すなわち、ポリウレタン、ＥＶＡ、ゴム等任意の材料から選択される。重要なことは、中敷の硬度を、中敷本体の硬度より２５〜８０％低くすることである。【００３０】  クッション材は、中敷の裏面に土踏まず部分を投影した形状に穿設された凹部に嵌め込まれていて、土踏まず部分を下から支えて、土踏まず部分が低下するのを防止すると共に、一種のクッション効果を奏功して土踏まず部分のクッション効果を補強するものである。そのためにも、クッション材の強度は、ＪＩＳ−Ａ型硬度計で測定して５〜１５度の範囲が好ましい。クッション材の硬度が５度以下の場合、クッション効果は得られるが、土踏まず部分を下から支えて、土踏まず部分が低下するのを防止する機能は低下する。逆に、クッション材の硬度が１５度以上の場合、土踏まず部分を下から支えて、土踏まず部分が低下するのを防止する機能は高くなるが、クッション効果は低下する。【００３１】  さらに、中敷の表面において、母趾の付け根部分にボールジョイント対応部を穿設し、中足骨骨頭に対応する個所を幾分高く盛り上げた中足骨骨頭バーを形成した構造にしてもよい。そのような構造にすることにより、それらの個所に負荷される衝撃を緩和することができる。【００３２】  本発明に従って、中敷と中底を接合する方法は特段に限定されない。重要なことは、線接着、点接着ではなく、中敷の底面の全面と、中底の上表面の全面を完全に接着することである。従って、接着剤を使用して接合してもよく、或いは中敷と中底の材料によってはホットメルトフィルムを使用してもよい。【００３３】  次いで、中敷と中底を接合して一体化した中敷−中底接合部品と、甲皮の裏材を袋状に縫製する。この縫製工程は、製靴業界において慣用手段であるので、詳述は割愛する。【００３４】  次いで、中敷−中底接合部品−甲皮の裏材から成る袋状部品を、射出成型器のラスト（足型）モルドに吊り込み、その後、常用により、靴底意匠金型で甲皮を吊り込んだラスト（足型）モルドを、左右及び下部から圧接し、熱シリンダーでペースト状になった溶融樹脂、たとえば、ポリ塩化ビニル或いはポリウレタンを靴底意匠金型のゲートへ射出し、射出完了後、冷却し、ラスト（足型）モルドから脱型することにより甲皮、中敷、中底及び靴本底が一体に接合された所期の靴が製造される。
【産業上の利用可能性】
【００３５】  上述したように、本発明は、甲皮、予め足底の解剖学的構造に成形した中敷、中底、及び靴本底を一体成形して製造した靴なので、従来のような靴内への脱着が可能なカップインソールタイプの中敷が必然的に有している欠陥である、靴内への挿入の手間、経時変形や、歩行、激しい運動等による靴内での移動、それによる履用時の歩行障害等が解消され、製靴産業界へ寄与する。